【手続補正書】
【提出日】平成18年12月5日(2006.12.5)
【手続補正１】
【補正対象書類名】明細書
【補正対象項目名】特許請求の範囲
【補正方法】変更
【補正の内容】
【特許請求の範囲】
【請求項１】  箱外形を構成する包装部と、この包装部に一体形成されて収容物を保護する緩衝部とを備えた包装箱において、
上記緩衝部は、互いに対向する箱側面を構成する一対の側板のみが折り曲げられて、上記収容物を載置する下側緩衝部と、この下側緩衝部に収容物が載置された状態での上側緩衝部とが形成されていると共に、収容物の上下方向、左右方向、前後方向それぞれに対して収容物と包装部との間の各方向に緩衝用空間を設ける形状に形成されていることを特徴とする包装箱。
【請求項２】  請求項１記載の包装箱において、
包装部は箱内部を覆う蓋部を備えており、この蓋部が箱内部を覆うように閉じられた状態では、緩衝部を形成している側板の折り曲げ方向とは逆方向である展開方向側に蓋部が存在することにより緩衝部の開放を蓋部が阻止する構成となっていることを特徴とする包装箱。
【請求項３】  請求項２記載の包装箱において、
緩衝部は箱側面を構成する側板の一部を利用して形成されていて、これにより側板の一部には緩衝部として利用された部分が開口状態となっており、
蓋部には、箱内部を覆うように閉じられた状態において、緩衝部の形成に利用された側板の開口部分を覆う疑似側板用フラップが連続形成されていることを特徴とする包装箱。
【請求項４】  箱外形を構成する包装部と、この包装部に一体形成されて収容物を保護する緩衝部とを備えた包装箱において、
上記包装部は、底板と、この底板の互いに対向する辺に連設された一対の第１側板と、底板の他の辺に連設された複数の第２側板と、この第２側板に連設され、包装箱組み立て時に上記底板に対向する蓋部とを備えている一方、
上記緩衝部は、各第１側板の一部のみの裁断、折り曲げ、組み立てにより、上記収容物を載置する下側緩衝部と、この下側緩衝部に収容物が載置された状態での上側緩衝部とが形成され、収容物の上下方向、左右方向、前後方向それぞれに対して収容物と包装部との間の各方向に緩衝用空間を設ける形状に形成されており、
蓋部には、箱内部を覆うように閉じられた状態において、緩衝部の形成に利用されることで第１側板に形成された開口部分を覆う疑似側板用フラップが連続形成されていることを特徴とする包装箱。
【請求項５】  箱外形を構成する包装部と、この包装部に一体形成されて収容物を保護する緩衝部とを備えた包装箱において、
上記包装部は、底板と、この底板の互いに対向する辺に連設された一対の第１側板と、底板の他の辺に連設された複数の第２側板と、この第２側板に連設され、包装箱組み立て時に上記底板に対向する蓋部とを備えている一方、
上記緩衝部は、各第１側板の一部のみの裁断、折り曲げ、組み立てにより形成され、収容物の上下方向、左右方向、前後方向それぞれに対して緩衝機能を発揮するように、収容物と包装部との間の上記各方向に緩衝用空間を設ける形状に形成されており、
上記蓋部には、収容空間を複数の空間に仕切るための仕切体が形成されていることを特徴とする包装箱。
【請求項６】  請求項５記載の包装箱において、
上記蓋部の仕切体の一部が、緩衝部の形成に利用されることで第１側板に形成された開口部分を覆う疑似側板用フラップとして形成されていることを特徴とする包装箱。
【請求項７】  請求項５または６記載の包装箱において、
包装部の外面には、環状の全周囲のうち一部のみに非切り込み部を残した環状切り込みが形成され、この切り込みの内側領域を包装箱内側に折り曲げることによって取手部が構成されており、この切り込みの内側領域が収容物側面の側方に位置することで収容物を保護するよう構成されていることを特徴とする包装箱。
【請求項８】  請求項１〜７のうち何れか一つに記載の包装箱において、
包装部及び緩衝部は、包装箱構成材料同士の係止によって所定形状に形成されていることを特徴とする包装箱。
【請求項９】  請求項１〜８のうち何れか一つに記載の包装箱において、
包装箱構成材料は段ボールであって、そのフルートは包装部及び緩衝部の折り曲げ線に対して傾斜していることを特徴とする包装箱。
【請求項１０】  請求項１〜９のうち何れか一つに記載の包装箱において、
小型電子機器の包装に用いられ、この小型電子機器の上下方向、左右方向、前後方向それぞれに対して緩衝機能を発揮するように、小型電子機器と包装部との間に緩衝用空間を設ける形状とされた緩衝部が一体形成されていることを特徴とする包装箱。
【手続補正２】
【補正対象書類名】明細書
【補正対象項目名】００１７
【補正方法】変更
【補正の内容】
【００１７】
−解決手段−
具体的には、箱外形を構成する包装部と、この包装部に一体形成されて収容物を保護する緩衝部とを備えた包装箱を前提とする。この包装箱に対し、上記緩衝部を、互いに対向する箱側面を構成する一対の側板のみを折り曲げて、上記収容物を載置する下側緩衝部と、この下側緩衝部に収容物が載置された状態での上側緩衝部とを形成している。そして、この緩衝部を、収容物の上下方向（収容物の収容状態における鉛直方向）、左右方向（例えば収容物の平面視における長尺方向）、前後方向（例えば収容物の平面視における短尺方向）それぞれに対して収容物と包装部との間の各方向に緩衝用空間を設ける形状に形成している。
【手続補正３】
【補正対象書類名】明細書
【補正対象項目名】００２３
【補正方法】変更
【補正の内容】
【００２３】
上記の目的を達成するための包装箱のより具体的な構成としては以下のものが掲げられる。先ず、箱外形を構成する包装部と、この包装部に一体形成されて収容物を保護する緩衝部とを備えた包装箱を前提とする。この包装箱に対し、上記包装部に、底板と、この底板の互いに対向する辺に連設された一対の第１側板と、底板の他の辺に連設された複数の第２側板と、この第２側板に連設され、包装箱組み立て時に上記底板に対向する蓋部とを備えさせる。一方、各第１側板の一部のみの裁断、折り曲げ、組み立てにより、上記収容物を載置する下側緩衝部と、この下側緩衝部に収容物が載置された状態での上側緩衝部とを形成する。そして、この緩衝部を、収容物の上下方向、左右方向、前後方向それぞれに対して収容物と包装部との間の各方向に緩衝用空間を設ける形状に形成している。更に、蓋部に、箱内部を覆うように閉じられた状態において、緩衝部の形成に利用されることで第１側板に形成された開口部分を覆う疑似側板用フラップを連続形成している。
【手続補正４】
【補正対象書類名】明細書
【補正対象項目名】００２５
【補正方法】変更
【補正の内容】
【００２５】
包装箱内部の収容空間に複数の収容物を個別に収容可能としながらも、上記の目的を達成することができる包装箱の構成としては以下のものが掲げられる。先ず、箱外形を構成する包装部と、この包装部に一体形成されて収容物を保護する緩衝部とを備えた包装箱を前提とする。この包装箱に対し、上記包装部に、底板と、この底板の互いに対向する辺に連設された一対の第１側板と、底板の他の辺に連設された複数の第２側板と、この第２側板に連設され、包装箱組み立て時に上記底板に対向する蓋部とを備えさせる。一方、上記緩衝部を、各第１側板の一部のみの裁断、折り曲げ、組み立てにより、収容物の上下方向、左右方向、前後方向それぞれに対して緩衝機能を発揮するように、収容物と包装部との間の上記各方向に緩衝用空間を設ける形状に形成している。更に、上記蓋部に、収容空間を複数の空間に仕切るための仕切体を形成している。
【手続補正５】
【補正対象書類名】明細書
【補正対象項目名】００２６
【補正方法】変更
【補正の内容】
【００２６】
この特定事項によっても、上述した解決手段の場合と同様に、緩衝部の組み立て作業の簡素化が図れると共に、包装箱に如何なる方向から荷重が作用したとしても収容物を良好に保護することが可能である。また、複数の収容物を個別に収容可能としており、例えば、電子機器を包装する包装箱に適用した場合には、「電子機器の本体」と「操作マニュアル等の付属品」とを個別の収容空間に収容することができる。この場合、緩衝部による緩衝機能が得られている収容空間に電子機器を収容し、他の収容空間に付属品を収容することになる。つまり、衝撃に対する保護が必要な収容物と、その必要のない収容物とを個別に収容し、保護が必要な収容物に対してのみ緩衝機能を発揮するといった包装箱を実現することができる。その結果、衝撃に対する保護が必要ない収容物にまで緩衝状態で収容するといった無駄な収容状態を回避でき、使用する材料（段ボール材料）を必要最小限に抑えながらも必要な緩衝機能を十分に得ることができ、包装箱の製造コストの削減を図ることができる。
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】変更
【補正の内容】
【００３５】
包装箱の側面の一部を利用して緩衝部を形成したことで、この側面の一部に開口が形成されてしまった場合に、この開口を上記仕切体によって閉鎖して包装箱に所定の箱形を得るための構成として、上記蓋部の仕切体の一部を、緩衝部の形成に利用されることで第１側板に形成された開口部分を覆う疑似側板用フラップとして形成している。
【手続補正１５】
【補正対象書類名】明細書
【補正対象項目名】００５１
【補正方法】変更
【補正の内容】
【００５１】
第１側壁３は、図３中に太線で示す切り込みにより裁断され、破線で示す部分を山折りし、一点鎖線で示す部分を谷折りすることによって、包装箱の側壁を構成すると共に緩衝部３Ａを構成する。つまり、この第１側壁３は、底板１の短辺に順に連設する第１側板部３９、第２側板部３６−２（３７−２）、第３側板部３６−１（３７−１）、第４側板部３１を備えており、これら側板部のうち第１〜第３側板部３９、３６−２（３７−２）、３６−１（３７−１）に切り込みが形成され、各部が折り曲げられて緩衝部３Ａが形成される。
【手続補正１６】
【補正対象書類名】明細書
【補正対象項目名】００５８
【補正方法】変更
【補正の内容】
【００５８】
そして、第１側板部３９から第２側板部３６−２（３７−２）に亘って形成された切り込みの内側の領域（図中の領域３４−１，３４−２，３４−３）にあっては、図４（ｃ）に示すように巻き込まれ、領域３４−３の先端に形成された係止部３５が上記第２側板部の内側の領域３３−２に形成されたスリット３８に差し込まれることで箱形に形成される。つまり、この部分が収容物の上面側に位置することで、この収容物の上面が蓋部６に対して所定間隔を存した位置で保持されるようになっている。つまり、この第１側板部３９から第２側板部３６−２（３７−２）に亘って形成された切り込みの内側の領域（図中の領域３４−１，３４−２，３４−３）は、収容物の上側を保護する上側緩衝部として機能するようになっている。